(57)【要約】【課題】  従来の複数のサイクロン集塵装置において集塵効率を向上し、且つ吸引力の低下を防止することができるように、コンパクトな構造のサイクロン分離装置及びこれを備えた掃除機を提供する。【解決手段】  本発明に係るサイクロン分離装置は、掃除機のサイクロン分離装置であって、吸い込まれたゴミを含む空気をゴミと空気とに分離する第１のサイクロン及び複数の第２のサイクロンを含み、前記第２のサイクロンは、前記第１のサイクロンを外囲するように前記第１のサイクロンの外周面に配設される。【選択図】      図１ 
2005081134.tif 000002
【特許請求の範囲】
【請求項１】
掃除機のサイクロン分離装置であって、
吸い込まれたゴミを含む空気をゴミと空気とに分離する第１のサイクロン及び複数の第２のサイクロンを含み、前記第２のサイクロンは、前記第１のサイクロンを外囲するように前記第１のサイクロンの外周面に配設されたことを特徴とするサイクロン分離装置。
【請求項２】
前記第１のサイクロンは、
ゴミを含む空気をゴミと空気とに分離する第１のチャンバと；
前記第１のチャンバに形成され、ゴミを含む空気が吸い込まれる第１の吸気口と；
前記第１のチャンバに形成され、空気が排出される第１の排気口とを含むことを特徴とする請求項１に記載のサイクロン分離装置。
【請求項３】
前記第１のチャンバは、円筒状であることを特徴とする請求項２に記載のサイクロン分離装置。
【請求項４】
前記第１のサイクロンは、前記吸込空気から分離されたゴミが前記第１の排気口から逆流しないように、前記サイクロンチャンバ内における前記第１の排気口の上流側に配設されるグリル部材を更に含むことを特徴とする請求項２に記載のサイクロン分離装置。
【請求項５】
前記グリル部材は、
複数の流路が形成されたグリル本体と；
前記第１の排気口と連通し、ゴミが分離された空気を排出するように前記グリル本体の一方側に形成されたグリル開口と；
前記グリル本体の他方側に形成され、ゴミの逆流を抑える遮蔽部材とを含むことを特徴とする請求項４に記載のサイクロン分離装置。
【請求項６】
前記それぞれの第２のサイクロンは、
前記第１のサイクロンでゴミが分離された空気を再度遠心分離する第２のチャンバと；
前記第２のチャンバに形成され、前記第１のサイクロンから排出された空気が吸い込まれる第２の吸気口と；
前記第２のチャンバに形成され、ゴミが分離された空気を排出する第２の排気口とを含むことを特徴とする請求項２に記載のサイクロン分離装置。
【請求項７】
前記第２のチャンバは、一端の所定部分が切頭円錐形状であることを特徴とする請求項６に記載のサイクロン分離装置。
【請求項８】
前記サイクロン分離装置は、
前記第１のサイクロン及び前記第２のサイクロンの上部に配設され、第１のサイクロンの第１の排気口と第２のサイクロンの第２の吸気口とを連通させる流出入蓋体と；
前記流出入蓋体の上部に配設されたサイクロン蓋体とを更に含むことを特徴とする請求項６に記載のサイクロン分離装置。
【請求項９】
前記流出入蓋体には、前記第１の排気口と前記第２の吸気口とを連結する空気流路が形成され、前記第２のサイクロンの第２の排気口と連通した排気流路が形成されたことを特徴とする請求項８に記載のサイクロン分離装置。
【請求項１０】
前記流出入蓋体と前記第２のサイクロンとの結合時、前記排気流路の一定部分が前記第２の排気口に挿入され、前記排気流路からゴミが分離された空気が排出されることを特徴とする請求項９に記載のサイクロン分離装置。
【請求項１１】
前記排気流路は、その一端が前記第２のサイクロンの前記第２の排気口に連結され、他端が前記流出入蓋体の上方に向けて開放されたことを特徴とする請求項１０に記載のサイクロン分離装置。
【請求項１２】
前記流出入蓋体は、前記流出入蓋体の中心においてそれぞれの排気流路から排出される空気が一つの排出気流を形成するように一体型流路を更に含むことを特徴とする請求項１１に記載のサイクロン分離装置。
【請求項１３】
前記一体型流路の上部には、開口が形成されたことを特徴とする請求項１２に記載のサイクロン分離装置。
【請求項１４】
前記サイクロン蓋体は、上下の空間が開放されたコーン状であることを特徴とする請求項８に記載のサイクロン分離装置。
【請求項１５】
前記第１のサイクロンと前記それぞれの第２のサイクロンとは、一体に形成されたことを特徴とする請求項１に記載のサイクロン分離装置。
【請求項１６】
前記それぞれの第２のサイクロン間には、分離用隔壁が介在したことを特徴とする請求項１に記載のサイクロン分離装置。
【請求項１７】
ゴミを含む空気を吸い込むべく吸引力を発生する掃除機本体と；
前記掃除機本体と連通し、被掃除面の床面から前記吸引力を用いてゴミを含む空気を吸い込む床ブラシと；
前記掃除機本体に配設されたサイクロン分離装置とを含み、
前記サイクロン分離装置は、吸い込まれたゴミを含む空気をゴミと空気とに分離する第１のサイクロン及び複数の第２のサイクロンを含み、前記第２のサイクロンは、前記第１のサイクロンを外囲するように前記第１のサイクロンの外周面に配設されたことを特徴とする掃除機。
【請求項１８】
前記第１のサイクロンは、
ゴミを含む空気をゴミと空気とに分離する第１のチャンバと；
前記第１のチャンバに形成され、ゴミを含む空気が吸い込まれる第１の吸気口と；
前記第１のチャンバに形成され、空気が排出される第１の排気口とを含むことを特徴とする請求項１７に記載の掃除機。
【請求項１９】
前記それぞれの第２のサイクロンは、
前記第１のサイクロンでゴミが分離された空気を再度遠心分離する第２のチャンバと；
前記第２のチャンバに形成され、前記第１のサイクロンから排出された空気が吸い込まれる第２の吸気口と；
前記第２のチャンバに形成され、ゴミが分離された空気を排出する第２の排気口とを含むことを特徴とする請求項１７に記載の掃除機。
【発明の詳細な説明】
【技術分野】
【０００１】
本発明は、サイクロン分離装置及びこれを備えた掃除機に係り、より詳しくは、第１のサイクロン及び複数の第２のサイクロンを含み、前記第２のサイクロンは、前記第１のサイクロンを外囲するように前記第１のサイクロンの外周面に配設されたことを特徴とするサイクロン分離装置及びこれを備えた掃除機に係る。
【背景技術】
【０００２】
一般に、サイクロン分離装置は、サイクロンチャンバ内で旋回気流を発生させ遠心力により塵埃及びゴミ等を分離するものであって、各種の分野で使用されている。この種のサイクロン分離装置が掃除機に適用された実施例が、ＵＳ  ３,４２５,１９２号及びＵＳ  ４,３７３,２２８号に開示されている。
【０００３】
前記従来の引用文献には、複数のサイクロンによってゴミを含む空気からゴミを分離する構成のサイクロン集塵装置が開示され、かかる構成では、大粒の塵埃やゴミ等は第１のサイクロンで分離され、このようにして塵埃やゴミ等が分離された空気が第２のサイクロンまたは補助サイクロンに吸い込まれて、再度小粒の塵埃やゴミ等が分離され、最終的に浄化された空気が排出される仕組みとなっている。
【０００４】
ＵＳ  ３,４２５,１９２号では、補助サイクロンが第１のサイクロンの上部に配設され、前記主サイクロンでは、大粒の塵埃やゴミ等が分離され、部分的に浄化された空気が前記補助サイクロンに吸い込まれて、再度小粒の塵埃やゴミ等が分離される仕組みとなっている。
【０００５】
また、ＵＳ  ４,３７３,２２８号では、前記第１のサイクロン内に補助サイクロンが配設される構造のサイクロンユニットが複数設けられた仕組みとなっている。
【０００６】
しかし、この種の従来のサイクロン分離装置では、次のような問題点がある。
【０００７】
第一に、前記第１のサイクロンと補助サイクロンとの連結構造が複雑であるため掃除機本体で発生する吸引力が床ブラシまで十分に伝わらないことから床ブラシの吸引力が低下し、この結果、掃除効率が下がるという不具合がある。
【０００８】
第二に、前記第１のサイクロンと補助サイクロンの配置がコンパクト化されておらず、この種のサイクロン分離装置は、同一の集塵性能を発揮するためには必然としてその体積が大きくなる。よって、前記サイクロン分離装置を備える掃除機の体積も大きくなり、掃除機の保管が困難であり且つ掃除作業時においても使用者が不便を感じることがある。
【０００９】
第三に、前記第１のサイクロンと補助サイクロンとの連結通路が複雑であるため生産工程が複雑化せざるを得なく、この結果、部品点数も増加して生産コストのアップにつながるという問題点がある。
【発明の開示】
【発明が解決しようとする課題】
【００１０】
本発明は、前記のような問題点を解決するためになされたものであって、その目的は、従来の複数のサイクロン集塵装置において集塵効率を増大させ且つ吸引力の低下を防止することができるようにコンパクトな構造のサイクロン分離装置及びこれを備えた掃除機を提供することである。
【課題を解決するための手段】
【００１１】
前記目的を達成するための本発明に係るサイクロン分離装置は、掃除機のサイクロン分離装置であって、吸い込まれたゴミを含む空気をゴミと空気とに分離する第１のサイクロン及び複数の第２のサイクロンを含み、前記第２のサイクロンは、前記第１のサイクロンを外囲するように前記第１のサイクロンの外周面に配設される。
【００１２】
そして、前記第１のサイクロンは、ゴミを含む空気をゴミと空気とに分離する第１のチャンバと；前記第１のチャンバに形成され、ゴミを含む空気が吸い込まれる第１の吸気口と；前記第１のチャンバに形成され、空気が排出される第１の排気口とを含むことが好ましい。また、前記第１のチャンバは、円筒状に形成することができる。
【００１３】
そして、前記第１のサイクロンは、前記吸込空気から分離されたゴミが前記第１の排気口から逆流しないように、前記サイクロンチャンバ内における前記第１の排気口の上流側に配設されるグリル部材を更に含むことがよい。
【００１４】
この時、前記グリル部材は、複数の流路が形成されたグリル本体と；前記第１の排気口と連通し、ゴミが分離された空気を排出するように前記グリル本体の一方側に形成されたグリル開口と；前記グリル本体の他方側に形成され、ゴミの逆流を抑える遮蔽部材とを含むことができる。
【００１５】
そして、前記それぞれの第２のサイクロンは、前記第１のサイクロンでゴミが分離された空気を再度遠心分離する第２のチャンバと；前記第２のチャンバに形成され、前記第１のサイクロンから排出された空気が吸い込まれる第２の吸気口と；前記第２のチャンバに形成され、ゴミが分離された空気を排出する第２の排気口とを含むことが好ましい。
【００１６】
また、前記第２のチャンバは、一端の所定部分が切頭円錐形状であることがよく、前記サイクロン分離装置は、前記第１のサイクロン及び前記第２のサイクロンの上部に配設され、第１のサイクロンの第１の排気口と第２のサイクロンの第２の吸気口とを連通させる流出入蓋体と；前記流出入蓋体の上部に配設されたサイクロン蓋体とを更に含むことができる。
【００１７】
そして、前記流出入蓋体には、前記第１の排気口と前記第２の吸気口とを連結する空気流路を形成し、前記第２のサイクロンの第２の排気口と連通した排気流路を形成することができる。
【００１８】
この時、前記流出入蓋体と前記第２のサイクロンとの結合時、前記排気流路の一定部分が前記第２の排気口に挿入され、前記排気流路からゴミが分離された空気が排出されることが好ましく、前記排気流路は、その一端が前記第２のサイクロンの前記第２の排気口に連結され、他端が前記流出入蓋体の上方に向けて開放されることがよい。
【００１９】
そして、前記流出入蓋体は、前記流出入蓋体の中心においてそれぞれの排気流路から排出される空気が一つの排出気流を形成するように一体型流路を更に含むことがよい。また、前記一体型流路の上部には、開口を形成することができる。
【００２０】
前記サイクロン蓋体は、上下の空間が開放されたコーン状であることがよく、前記第１のサイクロンと前記それぞれの第２のサイクロンとは、一体に形成することができ、前記それぞれの第２のサイクロン間には、分離用隔壁が介在したことが好ましい。
【００２１】
また、前記目的を達成するための本発明に係る掃除機は、ゴミを含む空気を吸い込むべく吸引力を発生する掃除機本体と；前記掃除機本体と連通し、被掃除面の床面から前記吸引力を用いてゴミを含む空気を吸い込む床ブラシと；前記掃除機本体に配設されたサイクロン分離装置とを含み、前記サイクロン分離装置は、吸い込まれたゴミを含む空気をゴミと空気とに分離する第１のサイクロン及び複数の第２のサイクロンを含み、前記第２のサイクロンは、前記第１のサイクロンを外囲するように前記第１のサイクロンの外周面に配設される。
【００２２】
そして、前記第１のサイクロンは、ゴミを含む空気をゴミと空気とに分離する第１のチャンバと；前記第１のチャンバに形成され、ゴミを含む空気が吸い込まれる第１の吸気口と；前記第１のチャンバに形成され、空気が排出される第１の排気口とを含むことが好ましい。
【００２３】
この時、前記それぞれの第２のサイクロンは、前記第１のサイクロンでゴミが分離された空気を再度遠心分離する第２のチャンバと；前記第２のチャンバに形成され、前記第１のサイクロンから排出された空気が吸い込まれる第２の吸気口と；前記第２のチャンバに形成され、ゴミが分離された空気を排出する第２の排気口とを含むことが好ましい。
【発明の効果】
【００２４】
以上で説明したように、従来のサイクロン分離装置においては集塵効率が低下し、吸引力の低下を防止するにある程度限界があったが、本発明によると、主サイクロンの外周面に沿って前記第２のサイクロンが配設されると共にコンパクトな構造にその構造が改善され、吸引力の低下を防止し且つ集塵効率をアップさせることができるようになる。
【００２５】
従って、より小さい空間占有率を有しながらもコンパクトな構造にて集塵効率の低下を防止することができるため、使用者の選好度の側面でも満足のいくサイクロン分離装置及びこれを備えた掃除機を提供することができ、製品の競争力を層一層高めることができる。
【発明を実施するための最良の形態】
【００２６】
以下、添付した図面を参照して本発明の好適な実施例をより詳細に説明する。
【実施例】
【００２７】
図１は、本発明に係るサイクロン分離装置の要部分解斜視図であり、図２は、本発明に係るサイクロン分離装置の断面図であり、図３は、本発明に係るサイクロン分離装置の一部切断斜視断面図である。
【００２８】
本発明に係るサイクロン分離装置は、大別して第１のサイクロン１１１と、複数の第２のサイクロン１１３と、第１のサイクロン１１１及び第２のサイクロン１１３の上部に配設された流出入蓋体１９０と、サイクロン蓋体１９１と、ゴミ収集ユニット１６５とを含む。複数の第２のサイクロン１１３は、第１のサイクロン１１１を外囲するように第１のサイクロン１１１の外周面に配設される。
【００２９】
そして、第１のサイクロン１１１とそれぞれの第２のサイクロン１１３とは一体に形成され、第２のサイクロン１１３間には、分離用隔壁２５０が介在する（図３参照）。かかる分離用隔壁２５０を介して第２のサイクロン１１３を複数に区画することによりサイクロン分離装置１００をより強固にする。
【００３０】
そして、第２のサイクロン１１３の周囲には円筒状のチャンバ壁１４７が形成され、この円筒状の他に掃除機本体１０（図５、図６参照）への収納される形態に応じて多角形の形状等、様々な形状に構成することができる。
【００３１】
第１のサイクロン１１１は、第１のチャンバ１１５と、第１の吸気口１２１と、第１の排気口１２３、及びグリル部材１３０と、を含む。
【００３２】
第１のチャンバ１１５は、円筒状に形成され、この内部でゴミを含む空気が旋回気流を形成しながら空気からゴミが遠心分離される。
【００３３】
グリル部材１３０は、第１の排気口１２３の上流側に配設される。従って、吸い込まれた空気から分離された塵埃やゴミ等が第１の排気口１２３から逆流しないようにする。
【００３４】
また、グリル部材１３０は、複数の流路が形成されたグリル本体１３１と、グリル開口１３３、及び遮蔽部材１３５とを含む。そしてグリル開口１３３は、第１の排気口１２３と連通し、塵埃やゴミ等が分離された空気を排出するようにグリル本体１３１の一方側に形成される。
【００３５】
遮蔽部材１３５は、グリル本体１３１の他方側に形成され、分離されたゴミや塵埃等の逆流を防止する。
【００３６】
そして、第２のサイクロン１１３は、第２のチャンバ１４５と、第２の吸気口１４１、及び第２の排気口１４３とを含む。
【００３７】
第２のチャンバ１４５は、一端の所定部分が切頭円錐形状に形成され、この内部で塵埃を含む空気から塵埃が遠心分離される。
【００３８】
第２の吸気口１４１からは第１のサイクロン１１１から排出された空気が吸い込まれ、第２の排気口１４３からは第２のチャンバ１４５内で塵埃が遠心分離された空気が排出される。
【００３９】
流出入蓋体１９０は、第１のサイクロン１１１及び第２のサイクロン１１３の上部に配設され、第１のサイクロン１１１の排気口１２３と第２のサイクロン１１３の第２の吸気口１４１とを連通する空気流路１９７及び排気流路１９９を含む。
【００４０】
排気流路１９９は、第２のサイクロン１１３の第２の排気口１４３と連通し、流出入蓋体１９０の第２の排気口１４３に挿入可能に形成される。
【００４１】
即ち、流出入蓋体１９０と第２のサイクロン１１３との結合時、排気流路１９９の一定部分が第２の排気口１４３に挿入され、排気流路１９９から浄化された空気が排出される。
【００４２】
そして、排気流路１９９の一端は、第２のサイクロン１１３の第２の排気口１４３に連結され、他端は、流出入蓋体１９０の上方に向けて開放される。
【００４３】
サイクロン蓋体１９１は、上下の空間が開放されたコーン状に形成され、流出入蓋体１９０の上部に着脱自在に配設される。
【００４４】
この時、第２のサイクロン１１３の第２の排気口１４３から排出された空気が集まると、サイクロン蓋体１９１の上部空間に形成された上部開口１９３からサイクロン分離装置１００の外部に排出される。
【００４５】
ゴミ収集ユニット１６５は、第１のゴミ収集筒１６１及び第２のゴミ収集筒１６３を含み、第１のゴミ収集筒１６１と第２のゴミ収集筒１６３とは一体に形成される。
【００４６】
第２のゴミ収集筒１６３は、中空の円筒状に形成され、第２のサイクロン１１３の外部に形成されたチャンバ壁１４７に着脱自在に結合する。
【００４７】
そして、第１のゴミ収集筒１６１は、中空の円筒状に形成され、第２のゴミ収集筒１６３の内側に配設され第１のサイクロン１１１の第１のチャンバ１１５に着脱自在に結合する。
【００４８】
図４は、本発明に係るサイクロン分離装置のまた他の実施例であって、流出入蓋体の形状だけが異なる構成で形成され、この時、サイクロン蓋体１９１は不要になる。図４を参照すると、流出入蓋体１９０の排気流路１９９は、第２のサイクロン１１３の第２の排気口１４３のそれぞれに対応して第２の排気口１４３から延びて形成される。
【００４９】
即ち、それぞれの排気流路１９９は、その一端が第２の排気口１４３に接続し第２の排気口１４３から延びて形成されると共に、他端が流出入蓋体１９０の中心部に形成された一体型流路２１０と連通しており、一体型流路２１０の上部には開口２１４が形成される。従って、排出される空気は、一体型流路２１０で一つの排出気流を形成する。
【００５０】
以下、本発明に係るサイクロン分離装置を備えた掃除機について説明する。
【００５１】
図５は、本発明に係るサイクロン分離装置がキャニスター型掃除機に適用された概略的な断面図であり、図６は、本発明に係るサイクロン分離装置がアップライト型掃除機に適用された概略的な断面図である。
【００５２】
図５に示すように、掃除機本体１０の内部の一方側には、隔壁１７により集塵室１２が画成され、集塵室１２の内側には、本発明に係るサイクロン分離装置１００が配設される。
【００５３】
そして、サイクロン分離装置１００の周面の上部の一方側には、第１の吸気口１２１が形成され、この吸気口を介してモーター（図示せず）の作動による吸引力の発生により掃除機のフレキシブルホース１５からサイクロン分離装置１００内に空気及びゴミ等が吸い込まれる。
【００５４】
また、サイクロン分離装置１００の上端面の中心部には、上部開口１９３が形成され、サイクロン分離装置１００内に吸い込まれた空気及びゴミを遠心力により空気とゴミとに分離しこの空気を上部開口１９３から上方に排出する。
【００５５】
かかるサイクロン分離装置１００は、キャニスター型掃除機の他にアップライト型掃除機にも適用することができ。以下、図６を参照してサイクロン分離装置１００が適用されたアップライト型掃除機を説明する。
【００５６】
掃除機本体１０の内部には、図示しない真空発生装置、即ち、モーター駆動部が設けられる。また、掃除機本体１０の下側には、吸込ブラシ６０が動き自在に連結される。掃除機本体１０の前方の中央には、サイクロン装着部６５が設けられる。
【００５７】
サイクロン装着部６５の内側には、吸込ブラシ６０に連結される吸気路７０と、モーター駆動部に連結される排気路７５が設けられる。
【００５８】
サイクロン分離装置１００の第１の吸気口１２１は、吸気路７０と連通し、上部開口１９３は、排気路７５と連通し、吸込ブラシ６０から吸い込まれたゴミを含む空気は、サイクロン分離装置１００を通りながら塵埃やゴミ等が捕捉され浄化された空気が上部開口１９３及び排気路７５を通って外部に排出される。
【００５９】
以下、図１乃至図６を参照して、かかる構成を有するサイクロン分離装置１００及びこれを備えた掃除機の作動を説明する。
【００６０】
まず、掃除機本体１０で吸引力が発生すると、掃除機本体１０と連通する吸込ブラシ６０から前記吸引力を用いて被掃除面の床面上のゴミを含む空気を吸い込む。
【００６１】
このようにして吸い込まれたゴミを含む空気は、サイクロン分離装置１００の第１の吸気口１２１を通って第１のチャンバ１１５内に接線方向に流れ込まれる。流れ込まれた空気は、第１のサイクロン１１１で空気とゴミとに遠心分離され、大粒の塵埃やゴミ等は第１のゴミ収集筒１６１に捕集される。
【００６２】
詳述すれば、第１のサイクロン１１１は、掃除機本体１０で発生した吸引力で第１のチャンバ１１５内に吸い込まれた塵埃やゴミ等が含まれた吸込空気から大粒の粉塵ゴミやゴミ等を分離する役割を果たす。
【００６３】
そして、第１のサイクロン１１１の第１のチャンバ１１５内では、第１の吸気口１２１を通って吸い込まれた塵埃やゴミ等を含む空気が第１のチャンバ１１５の内壁に沿って接線方向に旋回（旋回流）しながら遠心力を受けるようになる。
【００６４】
従って、比較的に軽い空気は、遠心力を少なく受けるため、第１のチャンバ１１５の中心部分に集まり渦巻きながら第１の排気口１２３の方向に流動（排気流）して排出される。
【００６５】
これに対し、空気より重いゴミは、遠心力を相対的に多く受けるため、第１のチャンバ１１５の内壁面に沿って流動し、結局は、第１のゴミ収集筒１６１に捕集される。
【００６６】
一方、大粒の塵埃やゴミが分離された空気は、第１のチャンバ１１５の第１の排気口１２３から空気流路１９７を通って流動して第２のサイクロン１１３の第２の吸気口１４１から接線方向に第２のチャンバ１４５に吸い込まれる。
【００６７】
この時、第１のサイクロンでゴミが分離された空気が、中心の第１の排気口１２３から排出され空気流路１９７に沿って放射状に拡散して複数の第２のチャンバ１４５に吸い込まれるため、大の空気流が再び小の空気流になる。従って、第２のサイクロン１１３での空気とゴミとの分離作業が容易になる。
【００６８】
そして、第２のチャンバ１４５に吸い込まれた空気は再度遠心分離され、小粒の塵埃やゴミが第２のゴミ収集筒１６３に捕集される。この時、複数の第２のサイクロン１１３で遠心分離された微細の塵埃が第２のゴミ収集筒１６３に捕集されるようになる。
【００６９】
また、第２のサイクロン１１３間に形成された分離用隔壁２５０は、分離された塵埃が第２のゴミ収集筒１６３に落下する時、一定部分の塵埃の逆流を防止し且つ塵埃の捕集を容易にする。
【００７０】
このようにして再度遠心分離された空気は、第２のサイクロン１１３の第２の排気口１４３から流出入蓋体１９０の排気流路１９９を通ってサイクロン蓋体１９１に集まり、そして、サイクロン蓋体１９１の上部に形成された上部開口１９３から排出される（図２参照）。
【００７１】
または、図４を参照すると、流出入蓋体１９０の排気流路１９９を通って排出された空気が一体型流路２１２に全て集まり、一体型流路２１０の開口２１４から排出される。
【００７２】
従って、第２のサイクロン１１３は、第１のサイクロン１１１で一次的に塵埃やゴミ等が分離された空気から再度小粒の塵埃やゴミ等を分離する役割を果たす。よって、サイクロン分離装置１００では、第１のサイクロン１１１における一次分離と共に複数の第２のサイクロンにおける小粒の塵埃やゴミ等の二次分離を行うことにより集塵効率が向上するようになる。
【００７３】
かかるサイクロン分離装置１００では、第１のサイクロン１１１の第１の排気口１２３と第２のサイクロン１１３の第２の吸気口１４１との距離が、従来の技術として引用した引用文献のそれに比べて相対的に短く形成されているため、吸引力の低下を防止し且つ集塵効率を向上することができる。
【００７４】
このような過程を通じてサイクロン分離装置１００から排出された空気は、掃除機本体１０の外部に排出される。
【００７５】
以上では、本発明を、本発明を説明するための好適な実施例に関連して図示し説明したが、本発明は、上述したように図示し説明した通りの構成及び作用に限定されるものではない。却って、添付した特許請求の範囲の思想及び範疇を逸脱することなく本発明に対する各種の変更及び修正が可能であることを当業者であればよく理解できるはずである。従って、そのような適切な変更及び修正と均等物も本発明の範囲に属するものと見做すべきである。
【産業上の利用可能性】
【００７６】
本発明は、サイクロン分離装置及びこれを備えた掃除機に適用することができ、遠心力を用いて塵埃やゴミ等を分離する掃除機にも適用され得る。
【図面の簡単な説明】
【００７７】
【図１】本発明に係るサイクロン分離装置の要部分解斜視図である。
【図２】本発明に係るサイクロン分離装置の断面図である。
【図３】本発明に係るサイクロン分離装置の一部切断斜視断面図である。
【図４】本発明に係るサイクロン分離装置のまた他の実施例を示す斜視図である。
【図５】本発明に係るサイクロン分離装置がキャニスター型掃除機に適用された概略的な断面図である。
【図６】本発明に係るサイクロン分離装置がアップライト型掃除機に適用された概略的な斜視図である。
【符号の説明】
【００７８】
１０    掃除機本体
１２    集塵室
１５    フレキシブルホース
１７    隔壁
６０    吸込ブラシ
６５    サイクロン装着部
７０    吸気路
７５    排気路
１００  サイクロン分離装置
１１１  第１のサイクロン
１１３  第２のサイクロン
１１５  第１のチャンバ
１２１  第１の吸気口
１２３  第１の排気口
１３０  グリル部材
１３１  グリル本体
１３３  グリル開口
１３５  遮蔽部材
１４１  第２の吸気口
１４３  第２の排気口
１４５  第２のチャンバ
１４７  チャンバ壁
１６５  ゴミ収集ユニット
１６１  第１のゴミ収集筒
１６３  第２のゴミ収集筒
１９０  流出入蓋体
１９１  サイクロン蓋体
１９３  上部開口
１９７  空気流路
１９９  排気流路
２１０  一体型流路
２１４  開口
２５０  分離用隔壁
【図１】
2005081134.tif 000003
【図２】
2005081134.tif 000004
【図３】
2005081134.tif 000005
【図４】
2005081134.tif 000006
【図５】
2005081134.tif 000007
【図６】
2005081134.tif 000008